(57)【特許請求の範囲】
【請求項１】
上面部、底面部、一対の側面部及び一対の妻面部により区画されて内部空間を形成し、該内部空間に家庭用薄葉紙を収納して取出口から該家庭用薄葉紙を取り出し可能な家庭用薄葉紙収納箱において、
前記上面部の側端縁から延出された上面側フラップと、
前記底面部の側端縁から延出された底面側フラップと、
前記一対の側面部の側端縁からそれぞれ延出された側面側フラップと、
を備え、
前記上面側フラップと前記底面側フラップは、前記妻面部を形成したときに、端部が互いに重畳されるように、基部から端部までの長さが設定され、
前記妻面部は、前記一対の側面側フラップを互いに端部が対向するように折り曲げた後に、前記上面側フラップ及び前記底面側フラップを、それぞれ前記側面側フラップの外側面に重畳するように折り曲げることにより形成され、
前記上面側フラップ及び前記底面側フラップは、何れか一方が前記内部空間側に位置する内側フラップであり、他方が前記内側フラップの外側に位置する外側フラップであって
、
前記内側フラップには、端部から基部に向けて形成され、前記妻面部を形成したときに
、一部が前記外側フラップに重畳されるとともに一部が外側に露出され、ミシン目により形成された破断用切込線に囲まれて分離可能に形成された破断部が備えられ、
前記破断部の前記外側フラップに重畳される位置と前記外側フラップの内側面とを貼着して前記妻面部を形成し、
前記破断部を破断により分離すると、該破断部が前記外側フラップに貼着されたまま、前記内部空間が開放され、
更に前記上面側フラップ、前記底面側フラップ及び前記一対の側面側フラップが重畳するようそれぞれ折り曲げることにより前記妻面部を再度形成し、
前記上面側フラップ及び前記底面側フラップの少なくとも何れかに、その端部から基部に向けて所定形状に切り込まれた切込部を設けて係止部を形成し、
該係止部を前記側面側フラップの内側面に係止させることにより、前記上面側フラップ
、前記底面側フラップ及び前記側面側フラップが互いに係合されて取り付けられることを特徴とする家庭用薄葉紙収納箱。
【請求項２】
前記切込部は、前記妻面部を形成したときに、フラップの端部から基部の中央に向けて直線状に切り込まれた切込の基部側にある基端部が前記側面側フラップの端部と重なる位置よりも基部の中央側であるとともに、一部が少なくとも前記側面側フラップと重畳するように形成されていることを特徴とする請求項１に記載の家庭用薄葉紙収納箱。
【請求項３】
前記切込部は、直線状に切り込まれていることを特徴とする請求項２に記載の家庭用薄葉紙収納箱。
【請求項４】
前記上面側フラップ及び前記底面側フラップの少なくとも何れかに前記係止部を２つ設け、
前記一対の側面側フラップの内側面にそれぞれ前記係止部を係止させて、前記上面側フラップ、前記底面側フラップ及び前記側面側フラップが取り付けられることを特徴とする請求項１〜３の何れか一項に記載の家庭用薄葉紙収納箱。
【請求項５】
前記係止部は、前記上面側フラップ及び前記底面側フラップのそれぞれに設けられることを特徴とする請求項１〜４の何れか一項に記載の家庭用薄葉紙収納箱。
【請求項６】
前記切込部はミシン目により形成され、該ミシン目を破断することにより前記係止部が形成されることを特徴とする請求項１〜５の何れか一項に記載の家庭用薄葉紙収納箱。
【発明の詳細な説明】
【技術分野】
【０００１】
本発明は、家庭用薄葉紙収納箱に関する。
【背景技術】
【０００２】
従来、積層され、或いはロール状に巻回された家庭用薄葉紙を内部に収容し、上面部などに設けられた開口部から内部に収容された家庭用薄葉紙を取り出して使用する家庭用薄葉紙収納箱が知られている。
【０００３】
このような家庭用薄葉紙収納箱として、例えば、衛生用紙の束を収納し得る内部空間が形成された箱状をなす衛生用紙収納用カートンにおいて、上面、底面、及び一対の側面のそれぞれの端縁から延出された４つのロック式フラップを備え、その４つのロック式フラップが内側に折り曲げられ、重なり合う状態で係合されることによって妻面が形成される衛生用紙収納用カートンがある（例えば、特許文献１）。
【０００４】
また、略立方形に形成された収納箱本体において、上面の開口縁部に、その一側部に延長突片が延設された２つの被係合片と、その上部両側部に係合凹部が形成された１つの係合片と、蓋体と、を延設し、２つの被係合片及び係合片間に形成される取出し口を蓋装することができるように構成された衛生用紙の組立式収納箱がある（例えば、特許文献２）。
【先行技術文献】
【特許文献】
【０００５】
【特許文献１】特開２００８−１２７０６５号公報
【特許文献２】特開２００９−１７３２９３号公報
【発明の概要】
【発明が解決しようとする課題】
【０００６】
しかしながら、上記特許文献の何れも、衛生用紙の収納を容易にし、また、詰め替えを可能としているが、衛生用紙を収納した後、内部空間を封止するためのフラップの形状が複雑であり、衛生用紙収納用カートンや収納箱を形成するためのカートンブランクの製造コストがかかってしまう。
【０００７】
本発明の課題は、簡素な構造で薄葉紙を収納し、収納物を容易に封止することができる家庭用薄葉紙収納箱を提供することである。
【課題を解決するための手段】
【０００８】
以上の課題を解決するため、請求項１に記載の発明は、上面部、底面部、一対の側面部及び一対の妻面部により区画されて内部空間を形成し、該内部空間に家庭用薄葉紙を収納して取出口から該家庭用薄葉紙を取り出し可能な家庭用薄葉紙収納箱において、
前記上面部の側端縁から延出された上面側フラップと、
前記底面部の側端縁から延出された底面側フラップと、
前記一対の側面部の側端縁からそれぞれ延出された側面側フラップと、
を備え、
前記上面側フラップと前記底面側フラップは、前記妻面部を形成したときに、端部が互いに重畳されるように、基部から端部までの長さが設定され、
前記妻面部は、前記一対の側面側フラップを互いに端部が対向するように折り曲げた後に、前記上面側フラップ及び前記底面側フラップを、それぞれ前記側面側フラップの外側面に重畳するように折り曲げることにより形成され、
前記上面側フラップ及び前記底面側フラップは、何れか一方が前記内部空間側に位置する内側フラップであり、他方が前記内側フラップの外側に位置する外側フラップであって
、
前記内側フラップには、端部から基部に向けて形成され、前記妻面部を形成したときに
、一部が前記外側フラップに重畳されるとともに一部が外側に露出され、ミシン目により形成された破断用切込線に囲まれて分離可能に形成された破断部が備えられ、
前記破断部の前記外側フラップに重畳される位置と前記外側フラップの内側面とを貼着して前記妻面部を形成し、
前記破断部を破断により分離すると、該破断部が前記外側フラップに貼着されたまま、前記内部空間が開放され、
更に前記上面側フラップ、前記底面側フラップ及び前記一対の側面側フラップが重畳するようそれぞれ折り曲げることにより前記妻面部を再度形成し、
前記上面側フラップ及び前記底面側フラップの少なくとも何れかに、その端部から基部に向けて所定形状に切り込まれた切込部を設けて係止部を形成し、
該係止部を前記側面側フラップの内側面に係止させることにより、前記上面側フラップ
、前記底面側フラップ及び前記側面側フラップが互いに係合されて取り付けられることを特徴とする。
【０００９】
請求項２に記載の発明は、請求項１に記載の家庭用薄葉紙収納箱において、
前記切込部は、前記妻面部を形成したときに、フラップの端部から基部の中央に向けて直線状に切り込まれた切込の基部側にある基端部が前記側面側フラップの端部と重なる位置よりも基部の中央側であるとともに、一部が少なくとも前記側面側フラップと重畳するように形成されていることを特徴とする。
【００１０】
請求項３に記載の発明は、請求項２に記載の家庭用薄葉紙収納箱において、
前記切込部は、直線状に切り込まれていることを特徴とする。
【００１１】
請求項４に記載の発明は、請求項１〜３の何れか一項に記載の家庭用薄葉紙収納箱において、
前記上面側フラップ及び前記底面側フラップの少なくとも何れかに前記係止部を２つ設け、
前記一対の側面側フラップの内側面にそれぞれ前記係止部を係止させて、前記上面側フラップ、前記底面側フラップ及び前記側面側フラップが取り付けられることを特徴とする。
【００１２】
請求項５に記載の発明は、請求項１〜４の何れか一項に記載の家庭用薄葉紙収納箱において、
前記係止部は、前記上面側フラップ及び前記底面側フラップのそれぞれに設けられることを特徴とする。
【００１５】
請求項６に記載の発明は、請求項１〜５の何れか一項に記載の家庭用薄葉紙収納箱において、
前記切込部はミシン目により形成され、該ミシン目を破断することにより前記係止部が形成されることを特徴とする。
【発明の効果】
【００１６】
請求項１に記載の発明によれば、切込部を設けて係止部を形成することにより内部空間を簡単に封止することができるので、家庭用薄葉紙収納箱の製造コストの低減が図れるようになる。また、妻面部の強度を高めることができるとともに、品質の低下を抑制できる
。そして、妻面部を容易に解体することができるので、家庭用薄葉紙の詰め替え作業が容易となり、再利用しない場合の家庭用薄葉紙収納箱の処理において容易に取り扱うことができる。
【００１７】
請求項２に記載の発明によれば、係止部を押し込んで係止部が内側に折曲変形した後、係止部が復元して側面側フラップに係止されるので、家庭用薄葉紙収納箱の封止をより容易に行わせることが可能となる。
【００１８】
請求項３に記載の発明によれば、切込部の加工が容易であり、家庭用薄葉紙収納箱の製造コストがより低減される。
【００１９】
請求項４に記載の発明によれば、上面側フラップ、底面側フラップ及び側面側フラップを安定して取り付けることができる。
【００２０】
請求項５に記載の発明によれば、上面側フラップ及び底面側フラップをそれぞれ側面側フラップに対して安定して取り付けることができるようになる。
【図面の簡単な説明】
【００２３】
【図１】本実施の形態にかかるティシューカートンの一例を示す斜視図である。
【図２】ティシューカートンを展開した表面の展開図である。
【図３】ティシューカートンを展開した裏面の展開図である。
【図４】ティシューカートンの側面図である。
【図５】ティシューカートンの妻面部を解体したときの状態を示す斜視図である。
【図６】ティシューカートンを再利用するための手順を説明する図である。
【図７】ティシューカートンを再利用するための手順を説明する図である。
【図８】ティシューカートンを再利用するための手順を説明する図である。
【図９】ティシューカートンを再利用するための手順を説明する図である。
【図１０】ティシューカートンを再利用するための手順を説明する図である。
【図１１】ティシューカートンを再利用するための手順を説明する図である。
【図１２】妻面部を構成する各フラップの他の例を示す図である。
【図１３】ティシューカートンの他の形態における再利用のための手順について説明する図である。
【図１４】ティシューカートンの他の形態における再利用のための手順について説明する図である。
【図１５】ティシューカートンの他の形態における再利用のための手順について説明する図である。
【図１６】切込の他の形態について説明する図である。
【図１７】切込の他の形態について説明する図である。
【図１８】切込の他の形態について説明する図である。
【発明を実施するための形態】
【００２４】
以下、本発明の実施の形態に係る家庭用薄葉紙収納箱について、図面を参照しながら詳細に説明する。ただし、発明の範囲は、図示例に限定されない。
本発明の実施の形態では、家庭用薄葉紙収納箱として、家庭用薄葉紙としてのティシューペーパーを収納する、ティシューカートンを例示して説明を行う。
【００２５】
本実施の形態に係るティシューカートン１は、例えば、図１〜図４に示すように、上面部２、底面部３、一対の側面部４，４、及び、一対の妻面部５，５により区画された箱体により構成されている。このティシューカートン１は、図２及び図３に示す紙製のカートンブランク１ａを折り曲げることにより形成されるものである。このティシューカートン１の内部空間には、積層されたティシューペーパーＴが収納されており、上面部２に形成された取出口２ａからティシューペーパーＴを外部へ取り出すことができるようになっている。なお、カートンブランク１ａは、紙製に限らず、樹脂によって形成されてもよい。
【００２６】
ここで、「箱体」とは、ティシューペーパーＴを収納し得る内部空間が形成される形状のものであり、例えば、直方体状、立方体状等の六面体状のものを挙げることができる。例えば、図１は、ティシューカートン１を直方体状に構成した例である。
六面体の形状では、上面部２と底面部３、一対の側面部４，４及び一対の妻面部５，５がそれぞれ対向するように平行に配置される。なお、これらの形状において、二つの面の稜線部分を面取りしたもの等も「箱体」に含まれるものとする。
【００２７】
上面部２には、図３に示すように、取出口２ａを覆うように裏面側からスリット８ａを有する樹脂製のフィルム８が貼着されている。フィルム８は、上面部２裏面の取出口２ａ周囲に塗布された接着剤８ｂにより、スリット８ａが取出口２ａに臨むように上面部２に対して貼着される。そして、ティシューペーパーＴは、このスリット８ａを通して外部に取り出されることとなる。なお、フィルム８の材質は、ポリエチレンやポリプロピレンが採用されるが、これらに限定されない。また、取出口２ａは、上面部２に設けられたミシン目を切って、上面部２の一部を切り取ることにより形成される。
【００２８】
また、図２及び図３に示すように、上面部２、底面部３及び側面部４，４は、それぞれ略長方形状に形成され、折り曲げ可能に連接されている。そして、底面部３の長手端縁には、側面部４の長手端縁と連結するための台形状の糊代部３ａが折曲線３ｂにて折り曲げ可能に連接されている。このように形成されたカートンブランク１ａは、上面部２、底面部３及び側面部４，４をそれぞれ折曲するとともに、糊代部３ａを折曲して底面部３と連接していない側の側面部４の裏面の長手端縁に糊付けして底面部３と側面部４とを連結することにより、筒状に形成される。
【００２９】
また、上面部２、底面部３及び一対の側面部４，４の両側端縁から、それぞれ、上面側フラップ５ｂ、底面側フラップ５ａ、側面側フラップ５ｃが延出され、それぞれ、折曲部１３，１４，１５にて内側に折り曲げ可能に連接されている。そして、側面側フラップ５ｃを、対向配置される側面側フラップ５ｃの端部が対向するように、それぞれ内側に折曲し、次に、底面側フラップ５ａを折曲して、側面側フラップ５ｃの外面側に設けられた接着部Ｇ１によって側面側フラップ５ｃに貼着する。そして、上面側フラップ５ｂの裏面（内側面）端部が底面側フラップ５ａの外面端部に重畳するように、上面側フラップ５ｂを折曲し、底面側フラップ５ａに対して取り付ける。ここで、上面側フラップ５ｂの裏面端部の所定部位には接着部Ｇ２，Ｇ３が設けられており、上面側フラップ５ｂが底面側フラップ５ａに対して貼着されることとなる。
このようにして、上面側フラップ５ｂ、底面側フラップ５ａ及び一対の側面側フラップ５ｃが重畳するように取り付けられることにより、図１及び図４に示されるような妻面部５が形成されるようになっている。
【００３０】
底面側フラップ５ａの端部の略中央には破断部１２が設けられ、その外周がミシン目からなる破断用切込線７により形成されて底面側フラップ５ａと分離可能に構成されている。この破断部１２は、底面側フラップ５ａの端部から基部に向けて矩形状に延びた糊代部１２ａと、その糊代部１２ａの略中央から底面側フラップ５ａの基部に向けて延びた半円、楕円あるいは蒲鉾形状の押圧部６によって構成され、糊代部１２ａと押圧部６の境界部分には、ミシン目からなる折曲用切込線１１が形成されている。この折曲用切込線１１は、切込部分の間隔が破断用切込線７よりも大きくなっており、折り曲げを容易にするが破断困難とする構成となっている。なお、折曲用切込線１１を設けない構成としてもよく、また、折曲用切込線１１に代えて折曲線を形成するようにしてもよい。糊代部１２ａは、上述のようにして、底面側フラップ５ａに対して上面側フラップ５ｂが重畳されると、接着部Ｇ２により上面側フラップ５ｂの内側面に貼着される。押圧部６は、妻面部５が形成された状態においては、図１及び図４に示すように、上面側フラップ５ｂに被覆されることなく、外側に露出される。
【００３１】
本実施の形態におけるティシューカートン１は、工場出荷時には、積層された複数のティシューペーパーＴを内部空間に収納し、上述のようにして各フラップを貼着して妻面部５を形成して内部空間を封緘することにより、側面部の強度を高め、ティシューカートン１の輸送や店頭での陳列時において、外部からの力によってティシューペーパーＴがティシューカートン１より脱出することを防止している。
【００３２】
ここで、従来は、ティシューカートンに収納されたティシューペーパーが全て取り出されると、その使用済みのティシューカートンは、たとえ使用状態が良好であったとしても、廃棄され、あるいは、リサイクルのために処理されており、不経済であった。
そこで、本実施の形態では、以下のように構成してティシューペーパーを詰め替え可能とし、ティシューカートン１を再利用できるように構成している。
【００３３】
すなわち、本実施の形態において、底面側フラップ５ａの破断部１２の両側には、図２及び図３に示すように、それぞれ、底面側フラップ５ａの端部から基部の中央に向けて直線状に切り込まれた一対の切込９が形成されている。この一対の切込９は、底面側フラップ５ａの長手方向に対してそれぞれ所定角度傾斜させて形成されており、ハ字状をなしている。そして、切込９を形成することにより、底面側フラップ５ａの切込９よりも中央側には、後述するように、側面側フラップ５ｃの内側面端部に係止するための係止部９ａが形成される。
なお、破断部１２の形状は上述したものに限定されず、任意の形状とすることが可能であるが、設計を容易にするため、切込９よりも内側に形成されるのが好ましい。
【００３４】
上面側フラップ５ｂには、その端部から基部中央に向けて直線状に切り込まれた一対の切込１０が形成されている。この一対の切込１０は、上面側フラップ５ｂの長手方向に対して所定角度傾斜されて形成されており、ハ字状をなしている。そして、切込１０を形成することにより、上面側フラップ５ｂの切込１０よりも中央側には、後述するように、側面側フラップ５ｃの裏面端部に係止するための係止部１０ａが形成される。
【００３５】
ここで、一対の切込９の間隔及び一対の切込１０の間隔は、図４に示されるようになっている。すなわち、一対の切込９，１０の基端部の間隔Ｘ１は、一対の側面側フラップ５ｃによって形成される間隙Ｌよりも小さい。なお、一対の切込９，１０の基端部の間隔Ｘ１は間隙Ｌと同一であってもよい。また、本実施の形態では、一対の切込９の基端部の間隔と、一対の切込１０の基端部の間隔を同一にしたが、異なるものであってもよい。
一方、一対の切込９，１０の基端部とは反対側の端部である先端部の間隔Ｘ２は、間隙Ｌよりも大きい。なお、本実施の形態では、一対の切込９の先端部の間隔と、一対の切込１０の先端部の間隔を同一にしたが、異なるものであってもよい。
本実施の形態では、以上のようにして切込９，１０の間隔が設定されているため、後述するように、係止部９ａ，１０ａがそれぞれ側面側フラップ５ｃの内側面端部に係止可能となっている。
【００３６】
以上のように構成されたティシューカートン１の妻面部５の解体手順について説明する。
先ず、図１に示される状態のティシューカートン１の一対の妻面部５に設けられた押圧部６のうちの少なくとも何れかに対し、指などによってティシューカートン１の内部空間の方向に圧力をかけると、破断用切込線７のうちの押圧部６を囲む部分が破断され、押圧部６が、折曲用切込線１１を支軸として内部空間方向に回動し、底面側フラップ５ａに指穴が形成される。なお、押圧部６の大きさは任意に設定することができるが、後述するように、ティシューカートン１を再利用したときに、開口部分ができるだけ小さくなるようにするため、指穴が形成されたときに、指を挿入するのに必要最小限の大きさとなるように設定するのが好ましい。
そして、この指穴に指などを挿入し、上面側フラップ５ｂの内側面から外側方向に圧力をかけると、破断用切込線７の全てが破断されて破断部１２が底面側フラップ５ａから完全に分離し、この破断部１２が上面側フラップ５ｂに貼着された状態で、上面側フラップ５ｂが、折曲線１４を支軸として外側方向に回動され、内部空間の一部が開放される。
【００３７】
そして、側面側フラップ５ｃに対して貼着された底面側フラップ５ａを側面側フラップ５ｃから分離し、底面側フラップ５ａ及び側面側フラップ５ｃを、それぞれ折曲部１４，１５を支軸としてそれぞれ外側方向に回動させると、図５に示すように、妻面部５が解体されてティシューカートン１の内部空間が完全に開放される。
【００３８】
以上のようにして妻面部５が解体されたティシューカートン１に対して詰め替え用のティシューペーパーＴ等を収納し、ティシューカートン１を再利用するための手順について図６〜図１１を参照しながら説明する。なお、図６〜図１１は、図５において矢印Ａにて示す方向からティシューカートン１を見た側面図である。また、説明を容易にするため、図６〜図１１において、側面側フラップ５ｃをパターンにより塗りつぶして表している。
【００３９】
先ず、ティシューカートン１の内部空間に詰め替え用のティシューペーパーＴを収納した後、図６に示す状態において、一対の側面側フラップ５ｃを折曲部１５を支軸としてそれぞれ内側に折曲し、図７に示すように、一対の側面側フラップ５ｃの端部をそれぞれ対向させる。
【００４０】
次に、底面側フラップ５ａを、折曲部１４を支軸として内側に折曲し、図８に示すように、側面側フラップ５ｃに重畳させる。
その状態で、係止部９ａを指などによって押圧すると、切込９により係止部９ａの端部が底面側フラップ５ａから分離され、係止部９ａが撓曲されながら、側面側フラップ５ｃの内側への回動動作の作用と相俟って、係止部９ａが側面側フラップ５ｃの端部を乗り越え、側面側フラップ５ｃよりも内部空間側に進入する。そして、係止部９ａへの押圧を解除すると、側面側フラップ５ｃの復元力により側面側フラップ５ｃが外側方向に回動するとともに、撓曲によって変形されていた係止部９ａが復元し、図９に示すように、係止部９ａの外面が側面側フラップ５ｃの内側面に係止されて側面側フラップ５ｃが底面側フラップ５ａによって挟持されることにより、底面側フラップ５ａが側面側フラップ５ｃに対して取り付けられる。
【００４１】
同様に、上面側フラップ５ｂを、折曲部１３を支軸として内側に折曲し、図１０に示すように、上面側フラップ５ｂの裏面端部を底面側フラップ５ａの外面端部に重畳させる。
その状態で、係止部１０ａを指などによって押圧すると、切込１０により係止部１０ａの端部が上面側フラップ５ｂから分離され、係止部１０ａが撓曲されながら、側面側フラップ５ｃの内側への回動動作の作用と相俟って、係止部１０ａが側面側フラップ５ｃの端部を乗り越え、側面側フラップ５ｃよりも内部空間側に進入する。そして、係止部１０ａへの押圧を解除すると、側面側フラップ５ｃの復元力により側面側フラップ５ｃが外側方向に回動するとともに、撓曲によって変形されていた係止部１０ａが復元し、図１１に示すように、係止部１０ａの外面が側面側フラップ５ｃの内側面あるいは側面側フラップ５ｃに係止された係止部９ａの内側面に係止されて側面側フラップ５ｃが上面側フラップ５ｂによって挟持されることにより、上面側フラップ５ｂが側面側フラップ５ｃに対して取り付けられる。
【００４２】
以上のようにして、妻面部５が再度形成され、内部空間に収納された詰め替え用のティシューペーパーＴが封止される。なお、ティシューカートン１を再利用し、その後損傷等して、再利用できなくなった場合には、底面側フラップ５ａ、上面側フラップ５ｂ及び側面側フラップ５ｃをそれぞれ外側方向に引っ張ることにより、少しの力で妻面部５を容易に解体させることができる。そして、妻面部５を解体させた後、ティシューカートン１を平面状に展開することにより、ティシューカートン１の嵩を減らして廃棄やリサイクル処理を行うことができるので、取り扱いが容易となる。
なお、ティシューカートン１を再利用することなく廃棄等する場合には、上述のようにして妻面部５を解体させた後、同様にして平面状に展開させることにより、容易に処理可能とすることができる。
【００４３】
以上説明したように、本発明の実施の形態によれば、ティシューカートン１は、上面部２の側端縁から延出された上面側フラップ５ｂと、底面部３の側端縁から延出された底面側フラップ５ａと、一対の側面部４の側端縁からそれぞれ延出された側面側フラップ５ｃと、を備える。そして、妻面部５は、上面側フラップ５ｂ、底面側フラップ５ａ及び一対の側面側フラップ５ｃが重畳するようにそれぞれ折り曲げることにより形成される。そして、上面側フラップ５ｂ及び底面側フラップ５ａの少なくとも何れかに、その端部から基部に向けて所定形状に切り込まれた切込９，１０を設けて係止部９ａ，１０ａを形成する。そして、係止部９ａ，１０ａを側面側フラップ５ｃの内側面に係止させることにより、上面側フラップ５ｂ、底面側フラップ５ａ及び側面側フラップ５ｃが互いに係合されて取り付けられる。その結果、切込を設けて係止部を形成することにより内部空間を簡単に封止することができるので、ティシューカートンの製造コストの低減が図れるようになる。
【００４４】
また、本発明の実施の形態によれば、切込９，１０は、妻面部５を形成したときに、基端部が側面側フラップ５ｃの端部と重なる位置から内側であるとともに、一部が少なくとも側面側フラップ５ｃと重畳するように形成されているので、係止部を押し込んで係止部が内側に折曲変形した後、係止部が復元して側面側フラップに係止されるので、ティシューカートンの封止をより容易に行わせることが可能となる。
【００４５】
また、本発明の実施の形態によれば、切込９，１０は、直線状に切り込まれているので、切込の加工が容易であり、ティシューカートンの製造コストがより低減される。
【００４６】
また、本発明の実施の形態によれば、上面側フラップ５ｂ及び底面側フラップ５ａの少なくとも何れかに係止部９ａ，１０ａを２つ設ける。そして、一対の側面側フラップ５ｃの内側面にそれぞれ係止部９ａ，１０ａを係止させて、上面側フラップ５ｂ、底面側フラップ５ａ及び側面側フラップ５ｃが取り付けられる。その結果、上面側フラップ、底面側フラップ及び側面側フラップを安定して取り付けることができる。
【００４７】
また、本発明の実施の形態によれば、係止部９ａ，１０ａは、上面側フラップ５ｂ及び底面側フラップ５ａのそれぞれに設けられるので、上面側フラップ及び底面側フラップをそれぞれ側面側フラップに対して安定して取り付けることができるようになる。
【００４８】
また、本発明の実施の形態によれば、上面側フラップ５ｂと底面側フラップ５ａは、妻面部５を形成したときに、端部が互いに重畳されるように、基部から端部までの長さが設定されている。そして、妻面部５は、一対の側面側フラップ５ｃを互いに端部が対向するように折り曲げた後に、上面側フラップ５ｂ及び底面側フラップ５ａを、それぞれ側面側フラップ５ｃの外側面に重畳するように折り曲げることにより形成される。その結果、妻面部の強度を高めることができる。
【００４９】
また、本発明の実施の形態によれば、底面側フラップ５ａには、端部から基部に向けて形成され、妻面部５を形成したときに、一部が上面側フラップ５ｂに重畳されるとともに一部が外側に露出され、ミシン目により形成された破断用切込線７に囲まれて分離可能に形成された破断部１２が備えられている。そして、破断部１２の上面側フラップ５ｂに重畳される位置と上面側フラップの内側面とを貼着して妻面部５を形成する。そして、破断部１２を破断により分離すると、破断部１２が上面側フラップ５ｂに貼着されたまま、内部空間が開放される。その結果、妻面部の強度を高めることができ、例えば、工場出荷から消費者の手に渡るまでの間において、ティシューカートンの輸送及び店頭への陳列時等において妻面部に外部から強い力が加えられた場合に、内部空間からティシューペーパーが容易に脱出するのを防止でき、品質の低下を抑制する。そして、妻面部を容易に解体することができるので、ティシューペーパーの詰め替え作業が容易となる。また、妻面部を容易に解体することができるので、再利用しない場合のティシューカートンの処理において容易に取り扱うことができる。
【００５０】
なお、本発明の実施の形態における記述は、本発明に係る家庭用薄葉紙収納箱の一例であり、これに限定されるものではない。家庭用薄葉紙収納箱を構成する各部の細部構成に関しても適宜変更可能である。
【００５１】
また、本実施の形態では、工場出荷時において、上面側フラップ５ｂ、底面側フラップ５ａ及び側面側フラップ５ｃが接着部Ｇ１〜Ｇ３によって互いに貼着されることにより妻面部５を構成するようにしたが、貼着を行わず、工場出荷時において、係止部９ａ，１０ａを側面側フラップ５ｃに係止させて上面側フラップ５ｂ及び底面側フラップ５ａを側面側フラップ５ｃに取り付けて妻面部５を形成し、その状態で出荷されるようにしてもよい。このようにすれば、接着材料の使用を低減させ、また、簡素な設備にてティシューカートンを製造することができ、製造コストを低減させることができる。
【００５２】
また、本実施の形態では、家庭用薄葉紙収納箱に収納する家庭用薄葉紙の例としてティシューペーパーＴを挙げたが、他の家庭用薄葉紙であってもよく、例えば、ペーパータオル、キッチンペーパー、トイレットペーパー等のロール状シートを適用してもよい。
【００５３】
また、本実施の形態では、底面側フラップ５ａを内側フラップとし、上面側フラップ５ｂを外側フラップとして、底面側フラップ５ａの外側面に上面側フラップ５ｂを重畳させて妻面部５を形成するようにしたが、上面側フラップ５ｂの外側面に底面側フラップ５ａを重畳させるようにしてもよい。
【００５４】
また、本実施の形態では、上面側フラップ５ｂと底面側フラップ５ａの端部を互いに重畳するように取り付けて妻面部５を形成するようにしたが、例えば、図１２に示すように、上面側フラップ５０ｂと底面側フラップ５０ａとを重畳させず、端部を突き合わるようにし、上述したようにして係止部を側面側フラップ５ｃにそれぞれ係止させて上面側フラップ５０ｂと底面側フラップ５０ａとを取り付け、妻面部５を形成するようにしてもよい。
【００５５】
また、本実施の形態では、上面側フラップ５ｂと底面側フラップ５ａにそれぞれ一対の切込９，１０を設けるようにしたが、上面側フラップ５ｂ及び底面側フラップ５ａの何れか一方のみ設けても妻面部５を形成することができる。例えば、上面側フラップ５ｂのみに切込１０を設けた場合には、係止部１０ａを側面側フラップ５ｃに係止させ、上面側フラップ５ｂにて側面側フラップ５ｃを底面側フラップ５ａの端部とともに挟持することにより、各フラップの取り付けを行うことができる。
【００５６】
また、本実施の形態では、上面側フラップ５ｂと底面側フラップ５ａにそれぞれ一対の切込９，１０を設けるようにしたが、切込９，１０を一対としない形態としても妻面部５を形成することができる。例えば、図１３に示すように、切込２１を、上面側フラップ５１ｂの破断部１２の左側のみに配置した場合には、以下のようにして各フラップを取り付けることにより妻面部５を形成することができる。すなわち、上面側フラップ５１ｂ、底面側フラップ５１ａ及び側面側フラップ５ｃを、図１３に示すように、Ｉ〜ＩＶの順に各フラップを折曲すると図１４に示すようになる。そして、図１５に示すようにして、係止部２１ａを側面側フラップ５ｃの内側面に係止することにより、上面側フラップ５１ｂが底面側フラップ５１ａ及び側面側フラップ５ｃの外側への動きを抑制するように係止されて妻面部５が形成される。
【００５７】
また、本実施の形態において、切込９，１０を、図１６に示すように、ミシン目によって形成し、再利用する際にミシン目２２，２３を破断して切込が形成されるように構成するようにしてもよい。これにより、係止部の先端が損傷する等の不具合が抑制でき、取り扱いが容易となる。
【００５８】
また、切込の形状は、本実施の形態のように直線としたものに限らず、妻面部５を形成したときに、基端部が側面側フラップ５ｃの端部と重なる位置から内側であるとともに、一部が少なくとも側面側フラップ５ｃと重畳するように形成されるものであれば、適宜設定することができ、例えば、図１７及び図１８に示されるような形状を採用することができる。なお、以下の説明では、底面側フラップに構成された切込を示して説明するが、上面側フラップについても同様の構成とすることができることは言うまでもない。
例えば、図１７（Ａ）に示すように、切込２４を、その先端部が側面側フラップ５ｃに重畳し、基端部を側面側フラップ５ｃの端部と重なる位置又はそれよりも内側まで延ばしたＬ字状に形成するようにし、これにより係止部２４ａを形成するようにしてもよい。また、図１７（Ｂ）に示すように、上述したＬ字状の切込において、角をＲ状に形成して切込２５を形成し、これにより係止部２５ａを形成するようにしてもよい。
また、図１７（Ｃ）に示すように、切込２６を、その先端部が側面側フラップ５ｃの端部と重合し、底面側フラップ５５ａの長手方向に対して垂直方向に延ばした後、底面側フラップ５５ａの長手方向外側に向けてコ字状に形成して、基端部を側面側フラップ５ｃの端部と重なる位置又はそれよりも内側まで延ばした形状とし、これにより係止部２６ａを形成するようにしてもよい。また、図１７（Ｄ）に示すように、上述したコ字状に形成された部分を円弧状にして切込２７を形成し、これにより係止部２７ａを形成するようにしてもよい。
【００５９】
また、図１８（Ａ）に示すように、切込２８を、その先端部が側面側フラップ５ｃに重畳し、外側を中心とした円弧状に形成して、基端部を側面側フラップ５ｃの端部と重なる位置又はそれよりも内側まで延ばしたものとし、これにより係止部２８ａを形成するようにしてもよい。
また、図１８（Ｂ）に示すように、切込２９を、その先端部が側面側フラップ５ｃの端部と重合し、内側を中心とした円弧状に形成した後、底面側フラップ５８ａの中央に向けて長手方向に延ばし、基端部を側面側フラップ５ｃの端部と重なる位置又はそれよりも内側となるように形成し、これにより係止部２９ａを形成するようにしてもよい。
また、図１８（Ｃ）に示すように、切込３０を、その先端部が側面側フラップ５ｃの端部と重合し、外側に幅広となる三角形状として、基端部を側面側フラップ５ｃの端部と重なる位置又はそれよりも内側となるように形成し、これにより係止部３０ａを形成するようにしてもよい。また、図１８（Ｄ）に示すように、上述した三角形状のうちの一辺を、外側を中心とした円弧状にして切込３１を形成し、これにより係止部３１ａを形成するようにしてもよい。
【００６０】
なお、図１７（Ｃ）（Ｄ）及び図１８（Ｂ）（Ｃ）（Ｄ）に示す例において、切込の先端部を側面側フラップ５ｃの端部と重合する位置よりもずれた位置としてもよい。
【符号の説明】
【００６１】
Ｔ  ティシューペーパー（家庭用薄葉紙）
１  ティシューカートン（家庭用薄葉紙収納箱）
２  上面部
３  底面部
４  側面部
５  妻面部
５ａ  底面側フラップ（内側フラップ）
５ｂ  上面側フラップ（外側フラップ）
５ｃ  側面側フラップ
６  押圧部
７  破断用切込線
９  切込（切込部）
１０  切込（切込部）
１０ａ  係止部
１２  破断部
【図１】
0005602565.tif 000002
【図２】
0005602565.tif 000003
【図３】
0005602565.tif 000004
【図４】
0005602565.tif 000005
【図５】
0005602565.tif 000006
【図６】
0005602565.tif 000007
【図７】
0005602565.tif 000008
【図８】
0005602565.tif 000009
【図９】
0005602565.tif 000010
【図１０】
0005602565.tif 000011
【図１１】
0005602565.tif 000012
【図１２】
0005602565.tif 000013
【図１３】
0005602565.tif 000014
【図１４】
0005602565.tif 000015
【図１５】
0005602565.tif 000016
【図１６】
0005602565.tif 000017
【図１７】
0005602565.tif 000018
【図１８】
0005602565.tif 000019